(57)【要約】  【課題】  画像処理装置の操作部近傍に事務用品収容部材を設けて作業性を向上させると共に，スペースの有効利用を図ること。  【解決手段】  操作部５近傍に，画像処理装置の筐体１の一部としての，開閉自在に設けられた事務用品収容部材２を有し，前記装置筐体１の内側に機能部Ｆを設ける。前記事務用品収容部材２を開いた際には，前記機能部Ｆが操作可能となり，前記事務用品収容部材２を閉じた際には，前記事務用品収容部材２が前記機能部Ｆを覆う蓋の役割を果たす。【選択図】  図１
2005242200.tif 000002
【特許請求の範囲】
【請求項１】
画像処理に関する各種操作を行なう操作部と，該操作部近傍に設けられた事務用品を収容するための事務用品収容部材とを有し，前記事務用品収容部材が装置筐体の一部として開閉自在に設けられた画像処理装置において，
前記装置筐体の内側に，前記事務用品収容部材を開いた際に操作可能な前記画像処理装置の機能部を設けたことを特徴とする画像処理装置。
【請求項２】
前記機能部が前記画像処理装置の主電源スイッチ，拡張スロット，ディスクドライブ，前記操作部の追加キーのうちの一又は複数である請求項１に記載の画像処理装置。
【請求項３】
前記事務用品がクリップ及び／若しくはステープル針を含んでなる請求項１又は２のいずれかに記載の画像処理装置。
【請求項４】
前記事務用品収容部の中心付近に，クリップとステープル針を分別するための仕切り部材が設けられてなる請求項３に記載の画像処理装置。
【発明の詳細な説明】
【技術分野】
【０００１】
本発明は，画像処理装置に関し，特に，画像処理に関する各種操作を行う操作部と，この操作部近傍に装置筐体の一部として開閉自在な事務用品収容部が設けられた画像処理装置に関する。
【背景技術】
【０００２】
画像処理装置において，例えばＡＤＦ（Ａｕｔｏｍａｔｉｃ  Ｄｏｃｕｍｅｎｔ  Ｆｅｅｄｅｒ；自動原稿送り装置）によってステープル針・クリップ等によって束ねられている複数の原稿を読み取らせる場合には，前記ステープル針・クリップ等を外した後に前記原稿をＡＤＦ上に載置する必要がある。このように外されたステープル針・クリップ等の事務用品を収容しておく収容部を設けておけば，廃棄のためにその都度移動する必要がなくなり，作業効率が向上する。
前記のような事務用品を収容しておく収容部として装置筐体に凹部を設ける従来技術がある。
また，装置筐体に設けられた事務用品収容部材の一例である使用済ステープル針分別回収部を回動可能もしくは着脱自在とし，ステープル針を容易に廃棄するための工夫が知られている（例えば，特許文献１参照）。
図６（ａ）ないし（ｃ）は，特許文献１に示される使用済ステープル針分別回収部付き装置の構成図である。図６（ａ）に示されるように装置筐体１には二つの凹部，すなわちクリップトレイ２と使用済ステープル針収容部１０とが設けられている。このうち，ステープル針収容部１０は，図６（ｂ）に示されるように回動可能とすることにより，あるいは図６（ｃ）に示されるようにスライドさせて着脱可能とすることにより，ステープル針４を容易に廃棄することができる構成となっている
【特許文献１】特開２００３−１４５５０４号公報
【発明の開示】
【発明が解決しようとする課題】
【０００３】
ところで，このような事務用品収容部材は，ユーザが画像処理装置に関する各種操作を行なう操作部の近傍に設けられていれば，利便性が一層向上する。ユーザは主に前記操作部の前方で各種作業を実行するからである。
一方，前記操作部近傍に配置することによって利便性が向上するものは，前記事務用品収容部材に限られるものではなく，一般的には，なるべく多くの機能が前記操作部近傍に集中している程，作業性・利便性が向上する。
このように操作部近傍には多くの機能が集中する結果，前記操作部近傍のスペースの有効利用が求められるが，従来技術においては，使用済ステープル針収容部１０が回動若しくはスライドした後にできるスペースＳ´については，有効利用が図られず，デッドスペースとなっているという問題点があった。
本発明は上記事情に鑑みてなされたものであり，その目的とするところは，前記従来技術によってもたらされる利便性を損なうことなく，スペースを有効利用し，さらに作業性を向上させる画像処理装置を提供することである。
【課題を解決するための手段】
【０００４】
上記目的を達成するために本発明は，画像処理に関する各種操作を行なう操作部と，該操作部近傍に設けられた事務用品を収容するための事務用品収容部材とを有し，前記事務用品収容部材が装置筐体の一部として開閉自在に設けられた画像処理装置において，前記装置筐体の内側に，前記事務用品収容部材を開いた際に操作可能な前記画像処理装置の機能部を設けたことを特徴とする画像処理装置として構成される。事務用品収容部材が開いた際にできるスペースに機能部が設けられており，スペースの有効利用を図ることができる。また，操作部の近傍に設けられているため，前記機能部の操作がし易く，作業性も向上する。
前記機能部が前記画像処理装置の主電源スイッチ，拡張スロット，ディスクドライブ，前記操作部の追加キーのうちの一又は複数であれば望ましい。前記事務用品収容部材によってこれら機能部を覆うことができるからである。
また，前記事務用品がクリップ及び／若しくはステープル針を含んでなれば好適である。画像処理装置に関する事務用品としてこれらが特に頻繁に使用されるからである。
さらに，前記事務用品収容部の中心付近に，クリップとステープル針を分別するための仕切り部材が設けられていれば，上述のように特に頻繁に使用される事務用品を分別して収容できるため，利便性がさらに向上する。
【発明の効果】
【０００５】
以上のように本発明によれば，事務用品収容部材が開いた際にできるスペースに機能部が設けられており，スペースの有効利用を図ることができる。また，これにより装置全体の小型化にも貢献し得る。さらに，前記事務用品収容部材および前記機能部が，共に操作部の近傍に設けられているため，作業性も向上する。
【発明を実施するための最良の形態】
【０００６】
以下，添付図面を参照しながら，本発明の実施の形態及び実施例について説明し，本発明の理解に供する。尚，以下の実施の形態及び実施例は，本発明を具体化した一例であって，本発明の技術的範囲を限定する性格のものではない。
ここに，図１は本発明の実施の形態に係る画像処理装置の操作部近傍の斜視図であって，（ａ）は前記事務用品収容部材が閉じた状態を，（ｂ）は開いた状態を示す概略構成図，図２は本発明の実施の形態に係る画像処理装置の操作部近傍の正面図及び断面図であって，（ａ）は事務用品収容部材が閉じた状態を示す概略構成図，（ｂ）は図２（ａ）のＡ−Ａ断面図，（ｃ）は事務用品収容部材が開いた状態を示す概略構成図である。
まず，図１及び図２の概略構成図を用いて本発明の実施の形態に係る画像処理装置の概略構成について説明する。
図１（ａ）及び図２（ａ）に示すように，画像処理装置（例えば複写機，プリンタ等）の筐体１には操作部５（例えば，液晶タッチパネル）とその近傍に前記装置筐体１の一部としての事務用品収容部材２が設けられ，該事務用品収容部材２にはクリップ・ステープル針・ホチキス等の事務用品４を収容するために凹部３が形成されている。この凹部３の形状及び寸法は，事務用品収容部材２に収容される事務用品４の形状・寸法等に応じて設計される。
ここで，図２（ａ）のＡ−Ａ断面図である図２（ｂ）に示されるように装置筐体１の内側のスペースＳには機能部Ｆが設けられている。
前記事務用品収容部材２は開閉自在に設けられており，図１（ｂ）及び図２（ｃ）に示すように，例えばスライドして開かれると，前記装置筐体１の内側のスペースＳに機能部Ｆが現れるようになっている。ここで，「機能部」とは，本明細書全文を通して，ユーザがこれに対して所定の操作を行なうことによって画像処理装置が具備する機能を実行するよう各種機能が割り当てられている全てのものをいい，後述するように，例えばスイッチ，ＰＣカードスロット等がこれに該当する。
この例では，機能部Ｆとして電源スイッチが設けられている。
以上のような構成によって，通常ユーザが画像処理装置を操作するために位置する操作部５近傍から移動することなく，事務用品４を収容することができるだけでなく，更にこれを開くことによって機能部Ｆを操作することが可能となり，スペースの有効利用と，機能部５が操作し易いため作業性が向上するという効果がある。
【実施例】
【０００７】
前記本発明の実施の形態では，事務用品収容部材２がスライドすることにより開閉する場合についてのみ述べられているが，図３に示すように事務用品収容部材２が回動することにより開閉する場合等も本発明の範囲内に含まれる。要するに事務用品収容部材２が開かれると，装置筐体１の内側のスペースＳに機能部Ｆが設けられていれば良い。
【０００８】
図４（ａ）ないし（ｄ）は，前記事務用品収容部材２が開いた状態の平面図であり，前記機能部Ｆの具体例を示すための概略構成図である。
図４（ａ）は，機能部Ｆとして主電源スイッチ６が設けられている実施例である。ここで主電源スイッチとは，画像処理装置への一切の通電を遮断するためのスイッチをいう。この主電源スイッチが誤操作により切られてしまった場合，例えば画像処理装置内のメモリに記憶されたデータが消去されてしまう等の不具合が生じることもある。このような不具合を防止するために，主電源スイッチは一般に画像処理装置の背面等，操作し辛い部位に配置されている。
本実施例のようにスペースＳに主電源スイッチ６を配置すれば，前記実施形態において述べた効果に加えて，操作部５の近傍に設けられているため主電源スイッチ６の操作のために前記事務用品収容部材２を開く動作が必要となり，主電源スイッチ６を誤って押してしまうという不具合の回避と操作性の向上の両方を一挙に達成することができる。
【０００９】
図４（ｂ）は，機能部Ｆとして拡張スロット７が設けられている実施例である。ここで，拡張スロットとは，拡張カード等を差し込むことによって画像処理装置の機能を追加するために本体に設けられたスペースのことを言い，代表的にはＰＣカード規格用のカード差込口であるＰＣカードスロット，メモリカードスロットがある。具体的には，フラッシュメモリカード，ＬＡＮカード等の差込口となる。
本実施例のようにスペースＳに拡張スロット７を配置すれば，前記実施形態において述べた効果に加えて，操作部５の近傍に設けられているため拡張カード等の抜き差しが容易になり，かつ，前記事務用品収容部材２が閉じている場合にはこれによって覆い隠されているため，拡張スロット７内に埃や異物が侵入することを防止できる。
【００１０】
図４（ｃ）は，機能部Ｆとしてフレキシブル・ディスクドライブ８が設けられている実施例である。
本実施例のようにスペースＳにフレキシブル・ディスクドライブ８を配置すれば，前記実施形態において述べた効果に加えて，操作部５の近傍に設けられているためフレキシブル・ディスクの抜き差しが容易になり，かつ，前記事務用品収容部材２が閉じている場合にはこれによって覆い隠されているため，フレキシブル・ディスクドライブ８内に埃や異物が侵入することを防止できる。
ここでは，ディスクドライブの一例としてフレキシブル・ディスクドライブ８が設けられているが，ＣＤ−ＲＯＭドライブ，ＭＯ（Ｍａｇｎｅｔ  Ｏｐｔｉｃａｌ）ディスクドライブ等，他のディスクドライブであっても良く，このような場合も本発明の範囲内である。
【００１１】
図４（ｄ）は，機能部Ｆとして操作部の追加キー９が設けられている実施例である。ここで追加キーとは，前記操作部５の操作キーを補助するために設けられた操作キー，若しくは画像処理装置に後から新機能が追加された場合であって，これに対応する操作が前記操作部５では実施できない場合に前記新機能を実行するために設けられた操作キーをいう。
本実施例のようにスペースＳに操作部の追加キー９を配置すれば，前記実施形態において述べた効果に加えて，前記事務用品部材２が閉じている場合にはこれによって覆い隠されているため，誤操作を防止することができる。また，操作部５の近傍に設けられており，操作性に支障をきたすこともない。
その他にも，例えば機能部Ｆとしてトナーの補給口を設ける，ＵＳＢ（Ｕｎｉｖｅｒｓａｌ  Ｓｅｒｉａｌ  Ｂｕｓ）ポートを設ける等，種々の構成が考えられる。
また，前記スペースＳに，例えば主電源スイッチ６と拡張スロット７とが併設されている場合のように，上述のような機能部が複数組み合わせて配置されていても良く，このような場合であっても本発明の範囲内である。
【００１２】
尚，前記事務用品４として，少なくともクリップ及び／若しくはステープル針を含んでおり，図１ないし図４に示されるように，前記事務用品収容部２がこれらを収容するに適した形状に構成されていることが望ましい。クリップ・ステープル針がもっとも頻繁に画像処理装置の操作時に使用される事務用品であると考えられるため，このような構成にすれば利便性がさらに向上する。
さらに，図５に示すように前記事務用品収容部２にクリップとステープル針を分別するために仕切り部材１０が設けられていても良い。このような構成にすることで，上述のように頻繁に使用されるクリップとステープル針が混在することを防止でき，作業性が向上する。
【図面の簡単な説明】
【００１３】
【図１】本発明の実施の形態に係る画像処理装置の操作部近傍の斜視図であって，（ａ）は事務用品収容部材が閉じた状態を（ｂ）は事務用品収容部材が開いた状態を示す概略構成図である。
【図２】本発明の実施の形態に係る画像処理装置の操作部近傍の正面図及び断面図であって，（ａ）は事務用品収容部材が閉じた状態を示す概略構成図，（ｂ）は図２（ａ）のＡ−Ａ断面図，（ｃ）は事務用品収容部材が開いた状態を示す概略構成図である。
【図３】本発明の一実施例に係る画像処理装置の操作部近傍の斜視図であって，事務用品収容部材が回動することによって開く場合を示す概略構成図である。
【図４】本発明の実施例に係る画像処理装置の操作部近傍の平面図であって，（ａ）は主電源スイッチが，（ｂ）は拡張スロットが，（ｃ）はフレキシブル・ディスクドライブが，（ｄ）は追加キーがそれぞれ機能部として配置されている実施例を示す概略構成図である。
【図５】本発明の実施例に係る画像処理装置の事務用品収容部材を示す斜視図であって，クリップとステープル針を分別するための仕切り部材が設けられている場合を示す概略構成図である。
【図６】従来の使用済ステープル針分別回収部付き装置の概略構成図である。
【符号の説明】
【００１４】
１…画像処理装置筐体
２…事務用品収容部材
３…凹部
４…事務用品
５…操作部
６…主電源スイッチ
７…拡張スロット
８…フレキシブル・ディスクドライブ
９…追加キー
１０…仕切り部材
【図１】
2005242200.tif 000003
【図２】
2005242200.tif 000004
【図３】
2005242200.tif 000005
【図４】
2005242200.tif 000006
【図５】
2005242200.tif 000007
【図６】
2005242200.tif 000008